(57)【要約】【課題】マンションなどにおけるリフォームが容易、かつ費用低廉に行える床構造を提供する。また、居住者や近隣に迷惑をかけることなく、静かに、かつ短期間で作業が行える改装方法を提案するものである。【解決手段】建物躯体１の床面１ａをマット状の緩衝材２で覆い、この緩衝材２上にブロック状のスペーサ３を適宜、間隔で配置する。そして、このスペーサ３の表面に接着剤を塗布するか、剥離紙を剥がして粘着部５を露出させた状態で、その上側に仕上げ部材となる床パネル材４を、直接あるいは下地ボード材を介して載置することとした。【選択図】  図１
2004169513.tif 000002
【特許請求の範囲】
【請求項１】
コンクリートスラブなどからなる建物躯体の床面上に緩衝材を介して複数のスペーサが配設され、該スペーサ上に屋内仕上げ床面を構成する床パネル材が、直接、あるいは下地ボード材を介して、スペーサの表面と接着した状態で載置されてなる床構造。
【請求項２】
上記スペーサは、下方に脚部が突設されたブロック状に合成樹脂で一体形成され、かつ、表面に粘着層が設けられたものであることを特徴とする請求項１記載の床構造。
【請求項３】
上記緩衝材は、マット状でその表面にスペーサの設置座標表示部が設けられたものであることを特徴とする請求項１記載の床構造。
【請求項４】
既存の床材を撤去し、現れたコンクリートスラブなどからなる建物躯体の床面をマット状の緩衝材で覆い、該緩衝材の表面に設けられた座標線などの表示部を目印に、スペーサを適宜、間隔で該緩衝体上に配置し、スペーサの表面に接着剤を塗布、あるいは剥離紙を剥がして粘着部の接着面を露呈させた状態で、仕上げ部材となる床パネル材を、直接、あるいは下地ボード材を介してこのスペーサ上に載置することを特徴とする床の改装方法。
【発明の詳細な説明】
【０００１】
【発明の属する技術分野】
本発明は、吸音性及び遮音性に優れ、かつ施工も容易な床の構造と、この床に改装するための方法に関する。
【０００２】
【従来の技術】
一般に中高層の集合住宅などの床は、図５に示すように、建物の躯体床面を構成したコンクリートスラブ１０にアンカーボルト１１を立設し、このアンカーボルト１１で大引き１２と称せられる構造材を前記コンクリートスラブ１０の表面と間隙を有するように保持し、さらにこの大引き１２の上に横方向に複数の根太１３と称せられる支持材を架け渡した後、この根太１３で支持されるように杉板１４を貼り付けて荒床を形成し、その上に畳１５を載せるようになっていた。
【０００３】
また、フローリングの床の場合は、上記の杉板１４の代わりにパネル材（図示せず）を同様に根太１３で支持されるように取り付けることとしていた。
【０００４】
またこの他に、衝撃音を軽減する床構造としては、図６に示すようにコンクリートスラブ１０上にグラスウールやロックウールなどの多孔質材からなる緩衝材２０を敷き、その上に所定間隔おきに桟状に支持体２１を並べた後、通気孔２２ａ，２２ｂを有する中空の特殊構造のパネル材２２を、この支持体２１上に載置し、パネル材２２と上記緩衝材２０との間に空気層２３を形成するようにしたもの（例えば、特許文献１参照）や、上記緩衝材２０とコンクリートスラブ１０との間にさらにスペーサ（図示せず）を介在させ、緩衝材２０の上下に空気層を形成することにより、通常の板状のパネル材の使用を可能としたもの（例えば、特許文献２参照）などがあった。
【０００５】
さらにまた、改装用の床構造としては、スポンジ素材にウレタン樹脂接着剤を含浸させてなる硬化接着型のスペーサをコンクリートスラブや荒床上の適所に配置し、その上にパーティクルボードを介してフローリング材を取り付けたものがあった。（例えば、特許文献３参照）。そして、その改装方法は、まず、畳を取り除いて現れた荒床、あるいはこの荒床を撤去し、現れたコンクリートスラブ上に、加工の容易なスタイロフォームなどを用いてパーティクルボードを所定の高さで水平にレベル出しして仮置きし、この状態でパーティクルボードの縁からその下側に未硬化状態のスペーサを、所定間隔おきに差し込み、その硬化を待って、パーティクルボード上にフローリング材を敷き詰め、釘打ちなどによってボードに固定するという手順で行われていた。
【０００６】
【特許文献１】
特開昭６３−５５８号公報（第３−５頁、第１図）
【特許文献２】
特公平５−４６４２３号公報（第２−３頁、第１図）
【特許文献３】
特開２００１−１０７５３８号公報（第３−４頁、第１図）
【０００７】
【発明が解決しようとする課題】
上述した従来の床構造のうち、大引きや根太を用いたものは、大工職人が在来工法で施工しなくてはならず、そのため施工に熟練と手間を要し、施工日数が長くかかると共に、施工コストも嵩むという問題点があった。また、この床は、コンクリートスラブなどの躯体床面との間に間隙を有して設置されているため、振動が直接、階下に伝わるおそれはないが、騒音は、むしろこの間隙で反響して階下に響くおそれがあった。
【０００８】
また、緩衝材を用いたものは、上記のような問題点は改善されるものの、従来の根太に相当する桟状の支持体を用いて床を支持するという発想は変わらず、従って、所定間隔おきに同方向に支持体が配置され、このことにより、隣り合った支持体間が密閉空間となっていた。そのため、この空間内の空気を逃がさないと、床の衝撃音が増長されるおそれがあり、中空で通気孔を有する特殊構造の床パネルを用いるか、あるいは、緩衝材の下側にスペーサを設けて緩衝材の下側にも上側と同様の空気層を形成する必要があった。従って、床パネルの構造が複雑になり、コスト高になったり、あるいは、スペーサを用いた場合は、その上側の対応した位置に支持体を設置しなくてはならず、施工が困難で作業能率が悪く、また、位置ずれによる施工ミスも生じ易いという問題点があった。
【０００９】
さらに、この緩衝材を用いたものは、何れも床パネルが桟状の支持体上に載置されているだけなので、床パネルと支持体との間に隙間を生じ、歩いた際に両者が衝合することによる打撃音を生じるおそれもあった。
【００１０】
変形可能な硬化接着型のスペーサを用いたものは、フローリング材が取り付けられるパーティクルボードを、レベル出しして仮保持した後、その隙間にスペーサを差し込まなくてはならず、しかもこのスペーサは接着性を有しているので、作業工程数が多いばかりか、作業も困難であり、さらにスペーサが硬化するまで次の作業が行えないので、作業能率も悪いという問題点があった。
【００１１】
本発明は、上記従来の床構造や改装方法が有していた問題点の解決を課題とする。
【００１２】
【課題を解決するための手段】
上記の課題を解決するために、本発明のうち、請求項１記載の発明は、コンクリートスラブなどからなる建物躯体の床面上に緩衝材を介して複数のスペーサを配設し、該スペーサ上に屋内仕上げ床面を構成する床パネル材を、直接、あるいは下地ボード材を介して、前記スペーサの表面と接着した状態で載置したことを特徴とする床構造である。
【００１３】
請求項２記載の発明は、請求項１記載の発明の構成中、スペーサを下方に脚部が突設されたブロック状に合成樹脂で一体形成され、かつ、表面に粘着層が設けられたものと、限定したことを特徴とする。
【００１４】
請求項３記載の発明は、請求項１記載の発明の構成中、緩衝材をマット状のもので、表面にスペーサの設置座標表示部が設けられたものと、限定したことを特徴とする。
【００１５】
請求項４記載の発明は、床の改装方法であって、既存の床材を撤去し、現れたコンクリートスラブなどからなる建物躯体の床面をマット状の緩衝材で覆い、該緩衝材の表面に設けられた座標線などの表示部を目印に、スペーサを適宜、間隔で該緩衝体上に配置し、スペーサの表面に接着剤を塗布、あるいは剥離紙を剥がして粘着部の接着面を露呈させた状態で、仕上げ部材となる床パネル材を、直接あるいは下地ボード材を介してこのスペーサ上に載置することを特徴とする。
【００１６】
【発明の実施の形態】
以下、本発明を図示した実施の形態に基づき詳細に説明する。
【００１７】
図１は、本発明の床構造を示した断面図、図２は、施工途中の状態を示した斜視図である。図示したように本発明の床構造は、コンクリートスラブなどの建物躯体１の床面１ａに敷かれたマット状の緩衝材２と、この緩衝材２の上側に載置されたブロック状のスペーサ３と、このスペーサ３で支持され、その上面に粘着部５を介して接合されたフロリーング用の床パネル材４とからなる。
【００１８】
ここにおいて、上記緩衝材２はグラスウールやロックウール、あるいはゴム、不織布、またはそれらの混合物をマット状に成形、あるいはこれらを適当な外袋（図示せず）に収納してマット状に形成したものであり、吸音／遮音性を有し、かつ、変形可能な柔軟性も有したものである。また、この緩衝材２の表面には、図４に示すように碁盤の目状に、スペーサ３を配置する際の目印となる座標の表示部２ａが設けられている。
【００１９】
スペーサ３は、図３に示すように下方の四隅に脚部３ａが突設されたブロック状に合成樹脂で一体形成されたものであり、例えば、ＯＡフロアー用として、オフィースビルなどのフロアーの全面にわたって敷き詰められる従来公知のものが、好適に利用される。なお、その表面は平坦であれば特に加工する必要はないが、後述する改装時の作業性の向上のため、表面に粘着部５を設けると共に、その表面を剥離紙６で覆っておくことが好ましい。また、このスペーサ３は、横方向に連結可能なものであり、その側面には、互いに係合可能な係合突部３ｂや係合凹部３ｃが設けられている。
【００２０】
床パネル材４は、表面に化粧加工が施され、側面に連結用の凹凸４ａが設けられた従来公知のものである。なお、この床パネル材４は、スペーサ３の表面に直接、接着されていても良いが、パーティクルボードなどの下地ボード材（図示せず）をスペーサ３の表面に接着し、このボード材を介してスペーサ３に連結固定されるようになっていても良い。
【００２１】
本発明の床構造は、上記の通りのものである。従って、マンションなどの中高層住宅の床として用いた場合は、その下側に位置したマット状の緩衝材２により、音が吸音／減衰され、階下に音が伝わり難くなる。また、表面の床パネル材４は、直接、あるいは下地ボード材（図示せず）を介してスペーサ３に接着固定されているので、この間に隙間を生じて、歩行時などに騒音を生じるおそれがなく、また、スペーサ３の位置ずれも生じないものである。
【００２２】
次に上記の構造を有する床への改装方法について説明すると、まず、本発明の改装方法では、大引きや根太などの既存の床材を撤去し、現れたコンクリートスラブなどからなる建物躯体１の床面１ａに、この床面１ａの大きさに応じたマット状の緩衝材２を敷く。次に、この緩衝材２上に、その表面に設けられた座標線などの表示部２ａを目印として、適宜間隔で複数のスペーサ３，３…を載置する。なお、この時、スペーサ３は、図４に示すように一つづつ独立させて配置しても良いが、複数連結したものを一ユニットとして配置しても良く、場合によっては、図２に示すように、室内の周縁部分を連続させ、荷重が分散される中央部分を抜く形で配置しても良い。
【００２３】
そして次に、スペーサ３の上面に取り付けられた剥離紙６を剥がし、この剥離紙６で覆われた粘着部５を露呈させ、この状態でその上側に床パネル材４を、組み付け配置する。このことで床パネル材４は、スペーサ３の上面に接着固定され、本発明による床の改装が完了する。なお、その際、緩衝材２は柔軟で変形可能なので、例え、設置床面１ａが水平でなかったり、表面に凹凸があったりしても、多少の寸法誤差は、この緩衝材２が変形することにより吸収される。よって、面倒な床材のレベル出し作業は不要である。
【００２４】
なお、上記の実施の形態では、スペーサ３上に直接、床パネル材４を接着した例を示したが、本発明では、スペーサ３がその上側に位置した部材と接着固定されれば良く、スペーサ３上に図示しない下地ボード材を接着して荒床（図示せず）を形成した後、その上側に床パネル材４を設置するようにしても良い。
【００２５】
また、図示した実施の形態では、表面に粘着部５が設けられたスペーサ３を例示したが、この粘着部５は必ずしも設けられていなくても良く、粘着部５が設けられていない場合には、床パネル材４や下地ボードを組み付ける前にその上面に接着剤を塗布すれば良い。
【００２６】
以上のように本発明の床の改装方法では、木組みや釘打ちなどの大工作業が一切不要なので、熟練者でなくても容易に作業が行え、かつ、作業時間も大幅に短縮される。しかもこの床は、下面が緩衝材２で覆われているので、振動や騒音が階下に伝わり難く、かつ、保温性にも優れるという特徴がある。
【００２７】
【発明の効果】
以上説明したように、本発明のうち、請求項１記載の発明は、躯体の床面に緩衝材を介してスペーサを配置し、その上に床パネル材、または下地ボード材を接着固定することとしたので、簡単な構造にかかわらず、スペーサががたついたり、位置ずれしたりすることがなく、振動や騒音は、その下側の緩衝材で効果的に吸収され、しかもこの緩衝材は、ある程度の断熱保温性を有するという多くの優れた効果を奏する。
【００２８】
請求項２記載の発明は、スペーサを下方に脚部が突設されたブロック状に合成樹脂で一体形成され、かつ、表面に粘着部が設けられたものとしたので、従来公知のスペーサの転用が可能でコスト低廉に提供できる共に、ＯＡ資材の有効利用が図られるという効果がある。
【００２９】
請求項３記載の発明は、緩衝材をマット状でその表面にスペーサの設置座標表示部が設けられたものとしたので、均等にスペーサを配置することが容易に行え、改装時の施工性が良くなるという効果がある。
【００３０】
請求項４記載の発明は、建物躯体の床面をマット状の緩衝材で覆い、その上にスペーサを配置し、仕上げ部材となる床パネル材を、直接、あるいは下地ボード材を介してこのスペーサ上に接着することとしたので、木組みや釘打ちなどの大工作業が不要で、熟練者でなくても容易に施工でき、かつ、その作業時間も大幅に短縮されることとなる。よって、床のリフォームが費用低廉、かつ居住者に殆ど不自由をかけることなく行え、さらにその際、近隣に対しても騒音などの迷惑をかけるおそれがないという従来には見られない優れた効果を奏する。また、緩衝材上には、スペーサを位置決めする表示部を設け、スペーサには、床材接合用の粘着部を設けたので、施工が一層容易で、かつ、作業も正確に行えるという効果が有る。
【図面の簡単な説明】
【図１】本発明の床構造の実施形態を示した断面図である。
【図２】本発明の床構造の施工状態を示した斜視図である。
【図３】スペーサの斜視図である。
【図４】スペーサの配置例を示す平面図である。
【図５】床構造の従来例を示した断面図である。
【図６】床構造の他の従来例を示した斜視図である。
【符号の説明】
１  建物躯体
１ａ  床面
２  緩衝材
２ａ  表示部
３  スペーサ
３ａ  脚部
３ｂ  係合突部
３ｃ  係合凹部
４  床パネル材
５  粘着部
６  剥離紙
【図１】
2004169513.tif 000003
【図２】
2004169513.tif 000004
【図３】
2004169513.tif 000005
【図４】
2004169513.tif 000006
【図５】
2004169513.tif 000007
【図６】
2004169513.tif 000008